(57)【要約】【課題】  端子基板装着部の限られた領域内において複数の端子基板を容易に装着することができる遊技機を提供する。【解決手段】  遊技機の所定位置に端子基板装着部２５０が設けられ、その端子基板装着部２５０に複数の端子基板２６０、２７０がそれぞれ装着されている。【選択図】        図１２
2005193002.tif 000002
【特許請求の範囲】
【請求項１】
遊技機の所定位置に設けられた端子基板装着部に複数の端子基板が装着されていることを特徴とする遊技機。
【発明の詳細な説明】
【技術分野】
【０００１】
この発明は、球（パチンコ球）を用いて遊技を行う遊技機（例えば、パチンコ機等の弾球遊技機）、あるいはメダルを用いて遊技を行うスロットマシン等の遊技機に関する。
【背景技術】
【０００２】
従来、この種の遊技機において、遊技機の所定位置に、主制御基板、副制御基板、枠制御基板等の制御回路を有する制御基板とは異なる各種の端子基板、例えば、外部端子基板（大当たり信号、扉開放信号、賞球信号等の信号をホールコンピュータに伝達するための端子基板）、中継基板（電源基板、主制御基板、副制御基板、枠制御基板等を接続するための端子基板）、分電基板（外部電源を受けてその電源を電源基板や球貸機等に供給するための端子基板）等が配設されているのが一般的である。
また、パチンコ機等の遊技機においては、その遊技機の後側に設けられた機構板の後面の所定位置に略面一をなす端子基板装着部が設けられ、その端子基板装着部に各種の端子基板が分散して配設されたり、あるいは接近して配設されたものが知られている（例えば、特許文献１参照）。
【特許文献１】特開２００１ー２９３２０９号公報（第３ー４頁、図１）
【発明の開示】
【発明が解決しようとする課題】
【０００３】
ところで、略面一の端子基板装着部に複数の端子基板、例えば、第１の端子基板と第２の端子基板とを接近して配設する場合、第１の端子基板を適宜の取付手段によって装着した後、第２の端子基板を適宜の取付手段によって装着しようとする際、第１の端子基板が第２の端子基板の取付作業の妨害物（障害物）となる不具合がある。
しかも、略面一の端子基板装着部に対し第１、第２の端子基板が接近して装着された状態では、第１の端子基板の接続端子（コネクタ）に対し接続線の端末部（端末コネクタ）を接続する際、第２の端子基板上に配設された接続端子や回路部品が前記接続作業の妨害物（障害物）となり、接続線の端末部の接続作業に多くの手間や時間が必要となる等の不具合が発生する。
【０００４】
この発明の目的は、前記問題点に鑑み、端子基板装着部の限られた領域内において複数の端子基板を容易に装着することができるとともに、各端子基板に対する接続線の接続作業も容易に行うことができる遊技機を提供することである。
【課題を解決するための手段】
【０００５】
前記目的を達成するために、請求項１の発明に係る遊技機は、
「遊技機の所定位置に設けられた端子基板装着部に複数の端子基板が装着された遊技機であって、
前記端子基板装着部は、前記複数の端子基板が階段状に装着可能な前後複数の装着部を有する階段状装着部によって構成され、
前記前後の装着部のうち、手前の装着部は、同手前の装着部に装着される端子基板が奥の装着部に向けてはみ出すことがない広さの装着面を有し、
前記前後の装着部の間の段差部は、前記奥の装着部に装着される端子基板上の各種の部材を含む同端子基板の実質的な高さ寸法よりも大きい段差寸法に設定されていることを特徴とする遊技機。」を要旨とするものである。
端子基板とは、遊技機内の各種装置あるいは遊技機と外部とを電気的に接続するための接続端子を有する基板であり、例えば、外部端子基板、中継基板、分電基板等の端子基板がある。
また、階段状装着部の前後複数の装着部に対し端子基板を装着する際、作業者に近い方の装着部が手前の装着部に該当し、遠い方の装着部が奥の装着部に該当する。
【０００６】
したがって、階段状装着部の前後複数の装着部に対し端子基板がそれぞれ個別に装着された状態において、各端子基板が階段部に相当する分だけ離隔するとともに、前後複数の装着部のうち、手前の装着部に装着される端子基板が奥の装着部に向けてはみ出すことがない。さらに、奥の装着部に装着される端子基板上の各種の部材が、手前の装着部の高さを越えることがない。
このため、階段状装着部の前後複数の装着部に対し端子基板を適宜の取付手段によってそれぞれ個別に装着するときに、奥の端子基板が手前の端子基板の取付作業の妨害物となったり、これとは逆に、手前の端子基板が奥の端子基板の取付作業の妨害物となる不具合を防止することができる。
また、階段状装着部の複数の装着部に端子基板が個別に装着された状態において、端子基板の接続端子（コネクタ）に対し接続線の端末部（端末コネクタ）を接続したり抜き取る際、奥の端子基板上の接続端子、回路部品等の各種の部材の一部が、手前の端子基板に対する接続線の接続作業や抜取り作業の妨害物となったり、あるいは、手前の端子基板が、奥の端子基板に対する接続線の接続作業や抜取り作業の妨害物となったりすることが軽減される。
すなわち、前後の装着部のうち、奥の装着部に装着された端子基板上の接続端子、回路部品等の各種の部材の一部が、手前の装着部の高さを越えて存在すると、その奥の端子基板上の部材が、手前の端子基板の取り付け作業の妨害物（障害物）となったり、あるいは手前の端子基板に対する接続線の端末部の接続作業の妨害物（障害物）となる。さらに、手前の端子基板の一部が、奥の装着部との間の段差部から張り出された場合には、その手前の端子基板の張り出し部分が妨害物（障害物）となるが、前記したように請求項１に係る発明では、奥と手前の端子基板が相互に妨害物となることが軽減されるため、各端子基板の取り付け、並びに接続線端末部の抜き取り・接続作業が容易となる。
【０００７】
請求項２の発明に係る遊技機は、請求項１に記載の遊技機であって、
階段状装着部は、遊技機の遊技盤の後側に設けられかつ球タンク、タンクレール等が装着される機構装着部の上隅部近傍に一体状に形成されていることを特徴とする。
【０００８】
したがって、階段状装着部が機構装着部の上隅部近傍に一体状に形成されることで、機構装着部の中央部寄り部分や下側部分に階段状装着部が形成される場合に比べ、妨害物（障害物）となるものが少ないため、端子基板の装着作業や接続線の接続作業がより一層し易くなる。
【０００９】
請求項３の発明に係る遊技機は、請求項１に記載の遊技機であって、
階段状装着部は、遊技機の遊技盤の後側に設けられかつ球タンク、タンクレール等が装着される機構装着部の後面よりも前に凹んだ状態で一体状に形成されていることを特徴とする。
【００１０】
したがって、階段状装着部は、遊技機の遊技盤の後側の機構装着部の後面よりも凹んだ状態で形成されているため、遊技機を運搬・保管する際に、階段状装着部やその階段状装着部の前後複数の装着部に装着された端子基板が後方に突出して、運搬・保管の邪魔物となる不具合が生じない。
すなわち、階段状装着部の前後複数の装着部に装着された端子基板が後方に突出すると、端子基板が運搬・保管の邪魔物となって、運搬・保管がしづらくなったり、あるいは、ものに衝突して破損される等の不具合が生じるが、このような不具合を防止することができる。
【００１１】
請求項４の発明に係る遊技機は、請求項１〜３のいずれか一項に記載の遊技機であって、
階段状装着部は、遊技機の遊技盤の後側に設けられかつ球タンク、タンクレール等が装着される機構装着部に一体状に形成され、
前記機構装着部は、前記遊技盤が着脱可能に装着される遊技盤装着枠を有する合成樹脂製の本体枠と一体に形成されていることを特徴とする。
【００１２】
したがって、合成樹脂製の本体枠と一体に機構装着部及び階段状装着部を形成することによって部品点数や組付工数を削減することができる。
しかも、階段状装着部によって本体枠の強度を高めることができ、耐久性の向上を図ることができる。
【００１３】
請求項５の発明に係る遊技機は、請求項１〜４に記載の遊技機であって、
階段状装着部は、その上段と下段に略垂直方向に延びる垂直装着部をそれぞれ有し、これら上段と下段の垂直装着部に端子基板がそれぞれ装着されていることを特徴とする。
【００１４】
したがって、階段状装着部の複数の垂直装着部は、これら垂直装着部の間の棚部に相当する分だけ離隔することになる。このため、一方の垂直装着部に一方の端子基板を適宜の取付手段によって装着した後、他方の垂直装着部に他方の端子基板を適宜の取付手段によって装着するときに、一方の端子基板が他方の端子基板の取付作業の妨害物となる不具合を良好に防止することができる。この結果、複数の端子基板を少なくとも棚部に相当する分だけ離隔した状態で容易に行うことができる。
また、垂直装着部に端子基板を装着する構造上、水平状の装着部に端子基板を装着する場合と比べ容易に目視しながら行うことができ、取付作業の能率を高めることができる。
また、上段及び下段の垂直装着部に端子基板が装着されることで、端子基板上に異物（例えばパチンコ球）が落下する不具合も軽減することができる。言い換えると、異物の落下による端子基板の損傷を防止することができる。
特に、階段状装着部の上段と下段の垂直装着部に端子基板がそれぞれ装着された状態において、各端子基板は、少なくとも上段と下段の垂直装着部の間の棚部に相当する分だけ離隔する。このため、一方の端子基板の接続端子（コネクタ）に対し接続線の端末部（端末コネクタ）を接続する際、他方の端子基板上に配設された接続端子や回路部品が前記接続作業の妨害物（障害物）となることを良好に防止することができる。
この結果、上段及び下段の各端子基板の接続端子（コネクタ）に対する接続線の端末部の接続作業を確実かつ迅速に行うことができる。
例えば、略面一の基板装着部に複数の端子基板が接近して配設された場合、これら端子基板上の接続端子や部品が接続作業の妨害物となる状態まで近ずくことがある。この場合には、端子基板上の接続端子に対する接続線の端末部の接続作業が困難となったり、あるいは煩わしい作業となり、多くの手間や時間が必要となるが、請求項５の発明によるとこのような問題点が解消される。
【００１５】
請求項６の発明に係る遊技機は、請求項１〜５のいずれか一項に記載の遊技機であって、
階段状装着部は、その上段の垂直装着部が遊技機の遊技盤の後側に接近して設けられ、
下段の垂直装着部は、上段の棚部に相当する分だけ前記遊技盤の後側に離隔して設けられ、
前記遊技盤の後側と前記下段の垂直装着部との間には空間部が形成されていることを特徴とする。
【００１６】
したがって、遊技盤の後側と下段の垂直装着部との間に空間部を形成することで、遊技盤に装着される役物装置等の装備品の後側部分を遊技盤の後側の前記空間部内に突出させることが可能となる。
このため、遊技盤に対し、大型の役物装置、あるいは各種入賞装置等の装備品を容易に配設することができるとともに、各種の装備品の設計、配設の自由度を増大させることができ、遊技性の向上や斬新化等を図ることができる。
【発明の効果】
【００１７】
この発明によれば、端子基板装着部を階段状装着部によって構成し、その階段状装着部の前後複数の装着部に対し、複数の端子基板を階段状に装着することで、各端子基板が階段部に相当する分だけ離隔する。
特に、前後複数の装着部のうち、手前の装着部に装着される端子基板が奥の装着部に向けてはみ出すことがなく、さらに、奥の装着部に装着される端子基板上の各種の部材が、手前の装着部の高さを越えることがないため、端子基板装着部（階段状装着部）の限られた領域内において、複数の端子基板を容易に装着することができるとともに、各端子基板に対する接続線の接続作業も容易に行うことができる。
【発明を実施するための最良の形態】
【００１８】
次に、この発明を実施するための最良の形態を実施例にしたがって説明する。
【実施例】
【００１９】
図１は遊技機の外枠の一側に本体枠が開かれその本体枠の一側にガラス扉が開かれた状態を示す斜視図である。図２は遊技機の前側全体を示す正面図である。図３は遊技機の後側全体を示す背面図である。図４は遊技機の本体枠と遊技盤とを分離して斜め右上前方から示す斜視図である。図５は遊技機の本体枠を斜め左上前方から示す斜視図である。図６は遊技機の後側上部を拡大して示す部分背面図である。図７は図６のＶＩＩ−ＶＩＩ線に基づく側断面図である。図８は図６のＶＩＩＩ−ＶＩＩＩ線に基づく側断面図である。図９は本体枠の機構装着部の上隅部に形成された階段状装着部に端子基板が装着された状態を拡大して示す平断面図である。図１０は図６のＸ−Ｘ線に基づく側断面図である。図１１は階段状装着部に端子基板が装着された状態を拡大して示す縦断面図である。図１２は端子基板装着部としての階段状装着部の上段及び下段の各垂直装着部に端子基板がそれぞれ装着された状態を示す斜視図である。なお、説明の便宜上、遊技機において遊技者側を前、反対側を後として説明する。
【００２０】
［遊技機の概要について］
図１〜図３に示すように、遊技機としてのパチンコ機は、外枠１０、本体枠３０、遊技盤４０、ガラス扉１３０等を備えて構成されている。
外枠１０は、上下左右の各枠材によって縦長の四角枠状に形成され、その外枠１０の前面の一側（片側）には、本体枠開閉用ヒンジ機構２０によって本体枠３０が前方に開閉可能に装着されている。
【００２１】
［本体枠について］
本体枠３０は、合成樹脂材によって一体に形成されるとともに、図４に示すように、その前側に遊技盤装着部３１が後側に機構装着部１６０がそれぞれ形成されている。これによって、本体枠３０は、従来の前枠（内枠、前面枠等と呼ばれることがある）と、機構板（裏機構板、裏セット板等と呼ばれることがある）との機能を兼ね備えている。
また、本体枠３０には、その本体枠開閉用ヒンジ機構２０と反対側（自由端側）の後側において、外枠１０に設けられた係止具に係脱可能に係合して本体枠３０を閉じ状態に施錠する本体枠施錠フック１４５が配設されている。
【００２２】
図４と図５に示すように、本体枠３０の前側の遊技盤装着部３１は、遊技盤４０が前側から着脱交換可能に嵌込まれる遊技盤装着枠３３を有し、その遊技盤装着枠３３の奥側の枠部内周には遊技盤４０の後側の周縁部を受け止める後面受け部３４が形成されている。
また、遊技盤装着枠３３の一側内壁面の上下部２箇所には、後面受け部３４との間に遊技盤４０の一側部が差し込み可能な間隔を隔てて前面押え部３５が形成されている。
また、図５に示すように、遊技盤装着枠３３の他側内壁面の上下部２箇所には、遊技盤４０のロック部材５０に対応する係止溝３６が形成されている。
また、遊技盤装着枠３３の他側部近傍には、本体枠３０側と遊技盤４０側とを電気的に接続するための本体側コネクタ３７が設置されている。
また、遊技盤装着枠３３の下側部には、遊技盤４０の前面下部を遊技盤装着枠３３の後面受け部３４に押さえ付けて緊締するターンバックル形式の緊締具６０が装着されている。
【００２３】
［遊技盤について］
図１と図４に示すように、遊技盤４０は、遊技盤装着部３１の遊技盤装着枠３３に嵌込まれる大きさの略四角板状に形成されている。遊技盤４０の盤面（前面）には、外レール４２と内レール４３とを備えた案内レール４１が設けられ、その案内レール４１の内側に遊技領域４４が区画形成されている。
遊技盤４０には、その遊技領域４４内において、遊技に関する役物装置、例えば、センタ役物と呼ばれる役物装置４６、図柄表示装置４８、入賞装置等の役物装置や風車器、誘導釘、ランプ装飾部材等の各種の装備品が配設されている。これら各種の装備品のうち、所定の装備品の後部、この実施例では、役物装置４６の役物本体４７の後部４７ａが遊技盤４０の後側に突出して配設される（図３、図６及び図７参照）。
また、図４に示すように、遊技盤４０の前面には、その案内レール４１の外側領域において、合成樹脂製の前構成部材４０ａが装着されている。
【００２４】
この実施例において、役物装置４６の役物本体４７には、略中央部に開口窓が形成され、図柄表示装置（例えば、液晶パネル）４８の表示面４９は役物本体４７の後側においてその開口窓に臨んで装着されている。
そして、役物本体４７は、遊技盤４０の中央部に貫設された組付孔に嵌込まれ、同役物本体４７の後部４７ａ及び図柄表示装置４８の図柄制御基板ボックス４８ａは遊技盤４０の後側に突出して配設されている（図３、図６及び図７参照）。
【００２５】
また、図４と図５に示すように、遊技盤４０前面の前構成部材４０ａの他側寄りの上下２箇所には、遊技盤装着枠３３の係止溝３６に対応する位置においてロック部材５０が軸と左右方向の長孔によって回動操作可能に装着されている。
そして、遊技盤４０（前構成部材４０ａを含む）は、その左右の一側部が遊技盤装着枠３３の後面受け部３４と前面押え部３５との間に差し込まれ、ロック部材５０の先端のロック部５１が遊技盤装着枠３３の係止溝３６に差し込まれて係合されることで本体枠３０の遊技盤装着部３１に装着されるようになっている（図１参照）。
【００２６】
［遊技盤の後側の後カバー体、主制御基板ボックス、副制御基板ボックスについて］
また、この実施例において、図３、図１３及び図１４に示すように、遊技盤４０の後側には、その中央部から下部にわたる部分において、各種入賞装置に流入した球を受けかつその球を所定位置まで導く集合樋としての機能とボックス装着部としての機能を兼ね備えた後カバー体７０が設けられている。この後カバー体７０の後面のボックス装着部に対し、音声制御基板、ランプ制御基板等の副制御基板９１が収納された副制御基板ボックス９０と、主制御基板８１が収納された主制御基板ボックス８０とが前後に重ね合わされた状態で装着されている。
【００２７】
すなわち、この実施例において、後カバー体７０に対し副制御基板ボックス９０は、その一側（図１３に向かって右側）において、垂直方向のヒンジピンとヒンジ孔とを有するヒンジ機構７５によって水平方向（垂直方向の軸線回り）に回動可能に支持されてる。
また、副制御基板ボックス９０に対し主制御基板ボックス８０は、その一側（図１３に向かって右側）において、垂直方向のヒンジピンとヒンジ孔とを有するヒンジ機構８５によって水平方向（垂直方向の軸線回り）に回動可能に支持されてる。
【００２８】
［制御基板ボックスの第１の封印手段について］
また、主制御基板ボックス８０及び副制御基板ボックス９０は、共に、ベース体とそのベース体に対し開閉可能に装着されたカバー体とを備えて主制御基板８１あるいは副制御基板９１を収納するボックス形状に構成されている。
図１３と図１４に示すように、主制御基板ボックス８０のベース体とカバー体との間には、カバー体を閉じ状態に封印する第１の封印手段としての封印ねじを有する複数の封印部８２が設けられている。
また、遊技盤４０の後側に対し後カバー体７０、副制御基板ボックス９０及び主制御基板ボックス８０がそれぞれ装着された状態において、本体枠３０の遊技盤装着部３１の前側からその遊技盤装着枠３３内に遊技盤４０を嵌込んで装着できるように、遊技盤４０の外郭から外側にはみ出すことなく、後カバー体７０、副制御基板ボックス９０及び主制御基板ボックス８０が配置されている。
【００２９】
［制御基板ボックスの第２の封印手段としての結束ベルトについて］
また、図１３と図１４に示すように、後カバー体７０のボックス装着部に対し副制御基板ボックス９０を間に挟んで主制御基板ボックス８０を封印する第２の封印手段が設けられている。
この第２の封印手段は、後カバー体７０に対し副制御基板ボックス９０を間に挟んで主制御基板ボックス８０を結束する結束ベルト８６を主体して構成されている。
すなわち、結束ベルト８６は、市販のものを用いることが可能であり、筒状をなし、かつ筒内に弾性変形可能なロック爪を有する本体部８７と、その本体部８７から一体に延出された長尺ベルト状をなすベルト部８８とを備えている。また、ベルト部８８の一側面の長手方向には、ロック爪に対応する複数のロック歯が形成されている。
また、結束ベルト８６において、本体部８７のロック爪とベルト部８８の複数のロック歯は、ベルト部８８の締め付け方向の移動は許容し反対方向（緩む方向）への移動は阻止する、いわゆるワンウエーの噛み合い構造を有している。
【００３０】
また、図１３と図１４に示すように、後カバー体７０と主制御基板ボックス８０の自由端側には結束ベルト８６のベルト部８８が挿通可能に掛け止めされる挿通孔を有する掛止部７９、８９がそれぞれ一体に形成されている。
そして、図１３と図１４に示すように、ベルト部８８が両掛止部７９、８９の挿通孔に跨って挿通された後、そのベルト部８８が本体部８７の筒内に挿通された状態で同ベルト部８８の先端部が引張されることによって、ベルト部８８の複数のロック歯のうち、適宜のロック歯がロック爪に係合する。これによって、後カバー体７０に対し副制御基板ボックス９０を間に挟んで主制御基板ボックス８０が結束されかつ封印されるようになっている。
【００３１】
［制御基板ボックスの第１、第２の封印手段の作用効果について］
前記したように、主制御基板ボックス８０に対し第１の封印手段としての封印ねじを有する複数の封印部８２と第２の封印手段としての結束ベルト８６を設けることによって、主制御基板ボックス８０を２重に封印することができるとともに、主制御基板ボックス８０に対する不正行為の発見がし易くなる。言い換えると、従来では、主制御基板ボックス８０に対し封印ねじを有する複数の封印部８２のみによって封印手段を構成しているのが一般的である。このため、封印部８２の破損状態を確認することが困難となる場合がある。
【００３２】
これに対し、この実施例においては、主制御基板ボックス８０のベース体に対しカバー体を開放しよとする場合、第１の封印手段としての封印部８２を破損するとともに、第２の封印手段として結束ベルト８６を破損する（ベルト部８８を切断する）ことが必要となる。
この結果、封印部８２とロック部材８６との一方の破損状態を確認することによって、主制御基板ボックス８０のベース体に対しカバー体が不測に開放されたことを認識することができ、不正行為の発見がし易くなる。
また、第２の封印手段として結束ベルト８６を採用することによって、封印作業がし易くなるとともに、市販の結束ベルト８６を用いることが可能であり、封印コストが安価となる。
【００３３】
なお、この実施例においては、後カバー体７０の後面のボックス装着部に対し、副制御基板ボックス９０と、主制御基板ボックス８０とが前後に重ね合わされた状態で装着される場合を例示したが、後カバー体７０以外のボックス装着体に主制御基板ボックス８０、副制御基板ボックス９０等の基板ボックスを装着する場合に採用することができる。
例えば、ボックス装着体に対し、第１の封印手段としての封印部を有する基板ボックスが、その一側において回動可能に装着され、そのボックス装着体と基板ボックスとの自由端側に、第２の封印手段としての結束ベルト８６を採用することができる。
【００３４】
また、この実施例において、遊技盤４０の後側の他側寄り下部には、本体枠３０の遊技盤装着部３１の前側からその遊技盤装着枠３３内に遊技盤４０を嵌込む動作によって、本体側コネクタ３７に挿脱可能に差し込まれる遊技盤側コネクタ４５が設置されている（図４及び図５参照）。
【００３５】
［本体枠の前側構造について］
図４と図５に示すように、本体枠３０前面の遊技盤装着部３１よりも下方に位置する下部領域の一側よりにはスピーカボックス部が一体に形成され、そのスピーカボックス部の前側開口部には、同開口部を塞ぐようにしてスピーカ装着板１０７が装着されている。そして、スピーカ装着板１０７にはスピーカ１０９が装着されている。
また、図４と図５に示すように、本体枠３０の前面の下部領域の他側寄り上部には、遊技盤４０の発射通路に向けて球を導く発射レール１００が傾斜状に装着されている。
また、図４に示すように、本体枠３０の前面の下部領域の前側には、その下部領域全体を覆うようにして下部前面板１１０が装着されている。下部前面板１１０の前面の略中央部には、下皿１１１が設けられ、片側寄りには操作ハンドル１１５が設けられている。
【００３６】
［ガラス扉について］
図１と図２に示すように、本体枠３０の前面の片側には、同本体枠３０の上端から下部前面板１１０にわたる部分を覆うようにしてガラス扉１３０が扉開閉用ヒンジ機構１２０によって前方に開閉可能に装着されている。ガラス扉１３０のヒンジ機構と反対側に自由端側の後側には、本体枠３０に設けられた扉施錠フック１４１に係脱可能に係合してガラス扉１３０を閉じ状態に施錠する係止部（図示しない）が設けられている。
また、ガラス扉１３０には、遊技盤４０の遊技領域４４を前方から透視可能な開口窓を構成する窓枠１３２が設けられ、その窓枠１３２にはガラス板、透明樹脂板等の透明板１３３が装着されている。
また、ガラス扉１３０の前面の開口窓を除く略全体は、ランプ等が内設された前面装飾部材によって装飾され、同ガラス扉１３０の前面の下部には上皿１３６が形成されている（図２参照）。
【００３７】
［本体枠後側の機構装着部、球タンク、タンクレール及び整流体について］
一方、図３と図６に示すように、本体枠３０の後側の機構装着部１６０の上部には多数の球の貯留可能な容積をもつ球タンク１６５とタンクレール１７５とが連通状に装着されている。
また、図７に示すように、タンクレール１７５の前壁部は、遊技盤４０の後側に突出する装備品、例えば、役物装置４６の役物本体４７の後部４７ａの上端部との干渉を避けるための第１空間部Ｓ１を隔てた状態で設けられている。
また、この実施例において、タンクレール１７５の後壁部は、球タンク１６５の後側壁と略同一面をなしている。
言い換えると、球タンク１６５の後壁面に対しタンクレール１７５の後壁部１７６が略同一面となる位置までタンクレール１７５が遊技盤４０の後面より後方に離隔して配置されている。これによって、遊技盤４０の後側とタンクレール１７５の前壁部１７１との間に役物装置４６の役物本体４７の後部４７ａとの干渉を避けるための第１空間部Ｓ１が設けられるようになっている。
【００３８】
［球タンクについて］
図７、図１５及び図１６に示すように、球タンク１６５は、底板部１６６と周壁部１６７とを一体に備えて上方に開口する箱形状に形成されている。この球タンク１６５の底板部１６６の後部の一隅部には、タンクレール１７５に向けて球Ｂを放出する放出口１６８が形成されている。
球タンク１６５の底板部１６６は、その放出口１６８と対角部をなす近傍から放出口１６８に向かう斜めの線を谷部１６６ａとし、かつ対角部側が高く放出口１６８側が低い傾斜状をなす第１、第２の傾斜部１６６ｂ、１６６ｃによって形成されている。
すなわち、図に示すように、球タンク１６５の底板部１６６上には、放出口１６８から遠ざかる供給領域Ｐにおいて島設備の球供給路から球Ｂが供給され、その球Ｂが第１、第２の傾斜部１６６ｂ、１６６ｃに沿って放出口１６８に向けて流れるようになっている。
【００３９】
図１５と図１６に示すように、球タンク１６５の底板部１６６上には、球Ｂの流れを規制して放出口１６８やその近傍においる球詰まりを防止する規制体１７０が設けられている。
すなわち、球タンク１６５に規制体１７０が設けられていない場合において、島設備の球供給路から球タンク１６５の底板部１６６上の供給領域Ｐに多量の球Ｂが短時間に供給されると、放出口１６８に向けて多量の球Ｂが略同時にながれ放出口１６８やその近傍においてブリッジ現象による球詰まりが発生する場合がある。
そこで、この実施例においては、球タンク１６５の放出口１６８に向かう球Ｂの流れを規制体１７０によって規制することで、ブリッジ現象による球詰まりの発生を防止するようになっている。
【００４０】
また、図１５と図１６に示すように、規制体１７０は、球タンク１６５の後壁部内面に沿って平面形状が略台形、略円弧形、略三角形等に形成され、かつ球Ｂの直径寸法の略２倍程度の高さ寸法に形成されている。
また、規制体１７０は、球タンク１６５を合成樹脂材によって形成すると同時に一体に形成してもよく、球タンク１６５とは別個に形成してから球タンク１６５の所定位置にビス等の適宜の取付手段によって取り付けてもよい。
【００４１】
図６と図１７に示すように、本体枠３０の後側の機構装着部１６０の一部にはタンクレール１７５の上方において同タンクレール１７５の上流側が高く下流側が低い傾斜状をなす天井部１８０が形成されている。この天井部１８０の所定位置（タンクレール１７５の前後２列のレール通路の下流側寄り部分に対応する位置）には上方に向けて凹まされた整流体装着用凹部１８１が形成されている。
【００４２】
［整流体について］
整流体装着用凹部１８１には、前後一対の整流体１９０（球ならし体とも呼ばれることがある）が、その各上端部において共通の軸１９１を中心としてそれぞれ揺動可能に装着されている。これら一対の整流体１９０は、自重によって略垂下状をなすようにその下部には球等の単数又は複数の錘１９２がそれぞれ設けられている。そして、一対の整流体１９０の下端部はタンクレール１７５の前後２列のレール通路の上方に各１つの球Ｂがそれぞれ通過可能な空間を隔てて臨んでいる。これによって、タンクレール１７５の前後２列のレール通路を流れる球Ｂが上下に段積み状態となって流れたときには、その上段の球Ｂが整流体１９０によってならされるようになっている。
言い換えると、タンクレール１７５の前後２列のレール通路を流れる球Ｂが上下に段積み状態となることを前後一対の整流体１９０によって防止することで、その整流体１９０の下流側においては球Ｂがそれぞれ１列に整列されて流れるようになっている。
【００４３】
図１７に示すように、整流体装着用凹部１８１は、前後一対の整流体１９０がタンクレール１７５の前後２列のレール通路の下流側に向かう方向に略水平状をなす状態まで回動を許容する形状に形成されている。言い換えると、前後一対の整流体１９０が整流体装着用凹部１８１に格納される位置まで回動可能とすることで、天井部１８０の一般部１８０ａの下方に対し整流体１９０の突出部分が可及的に軽減されるようになっている。
このように整流体装着用凹部１８１内に前後一対の整流体１９０が格納可能に構成されることで、仮に、タンクレール１７５のレール通路に球Ｂが過剰となって貯められた状態にあるときには、これら球Ｂの流圧によって前後一対の整流体１９０がタンクレール１７５の前後２列のレール通路の下流側に向かう方向に軸１９１を中心としかつ略水平状をなす格納状態まで回動する。
【００４４】
すなわち、この実施例において、前後一対の整流体１９０は、天井部１８０の一般部１８０ａの下方に突出されることなく整流体装着用凹部１８１内に格納されるようになっている。このため、仮に、タンクレール１７５のレール通路に球Ｂが過剰となって貯められた状態にあるときにも、そのタンクレール１７５から球Ｂがこぼれ落ちる不具合を防止することができる。
例えば、前後一対の整流体１９０の回動角度がレール装着用凹部２３０の上側壁をなす天井部１８０に当たって小さく制限され、その整流体１９０の一部が天井部１８０の下方から大きく突出すると、その整流体１９０の突出部によって球Ｂの流れが阻害される。これによって、タンクレール１７５のレール通路に球Ｂが過剰となって貯められた状態にあるときには、タンクレール１７５のレール通路から球がこぼれ落ちる不具合が発生する場合がある。
しかしながら、この実施例によると、前記したようにタンクレール１７５のレール通路から球Ｂがこぼれ落ちる不具合を防止することができる。
【００４５】
特に、図１７の２点鎖線に示すように、整流体１９０が整流体装着用凹部１８１に格納される位置まで回動された状態において、天井部１８０の一般部１８０ａと整流体１９０の一側面（球Ｂに当接する側面）１９０ａとが略同一面をなし、かつ整流体装着用凹部１８１の下流側下端縁と、整流体１９０の一側面（球Ｂに当接する側面）１９０ａの先端部との間の隙間がごく僅になるように、整流体装着用凹部１８１と整流体１９０の形状とが設定されている。すなわち、整流体１９０の一側面（球Ｂに当接する側面）１９０ａはその一端から他端にわたって略平坦面に形成され、整流体１９０が整流体装着用凹部１８１に格納される位置まで回動された状態では、整流体１９０の一側面１９０ａが天井部１８０の一般部１８０ａと略隙間なく連続する同一面をなすように構成されている。
これによって、整流体１９０が整流体装着用凹部１８１に格納される位置まで回動された状態において、整流体装着用凹部１８１の下流側下端縁に球Ｂが当たって球詰まりを発生する不具合が解消されるようになっている。
言い換えると、例えば、整流体装着用凹部１８１の先端部が円弧状に形成された場合には、整流体１９０が整流体装着用凹部１８１に格納されるた状態において、整流体装着用凹部１８１の先端部と整流体装着用凹部１８１の下端縁との間に隙間が生じ、その隙間によって、整流体装着用凹部１８１の下流側下端縁に球Ｂが当たって球詰まりを発生する場合があるが、この実施例によると球詰まりを良好に防止することができる。
【００４６】
［本体枠後側の機構装着部のその他の構成について］
図３に示すように、本体枠３０の機構装着部１６０の片側（図３に向かって右側）寄りの上下方向には縦長状にユニット化された球払出装置２１０が装着されている。
また、図１０に示すように、機構装着部１６０の球払出装置２１０と遊技盤４０との間には、第１空間部Ｓ１と前後方向に略同一レベルにおいて第２空間部Ｓ２が設けられている。また、球タンク１６５、タンクレール１７５及び球払出装置２１０の装置本体のそれぞれの後面は略同一面をなしている。
【００４７】
また、この実施例において、図３に示すように、本体枠３０の後側の機構装着部１６０の下部領域の片側（図３に向かって左側）には、発射レール１００の下傾端部の発射位置に送られた球を発射するための発射ハンマー２３３、その発射ハンマー２３３を作動する発射モータ２３２等を有する発射装置ユニット２３０が装着されている。また、機構装着部１６０の下部領域の中央部には、電源基板を有する電源基板ボックス２４０と、枠制御基板を有する枠制御基板ボックス２３４とが前後に重ね合わされた状態で装着されている。
【００４８】
［端子基板装着部を構成する階段状装着部について］
遊技機の所定位置には、主制御基板ボックス８０の主制御基板、副制御基板ボックス９０の副制御基板等の制御基板、枠制御基板ボックス２３４の枠制御基板等の制御回路を有する制御基板と異なる複数の端子基板を装着するための端子基板装着部が配置されている。
端子基板装着部は、複数の端子基板が階段状に装着可能な前後複数の装着部を有する階段状装着部２５０によって構成され、合成樹脂製の本体枠３０の機構装着部１６０と一体に形成されている。
この実施例においては、図６に示すように、本体枠３０の機構装着部１６０の上隅部（図６において球タンク１６５の右側に隣接する部分）の近傍に、制御回路を有する制御基板と異なる複数の端子基板としての外部端子基板２６０と分電基板２７０とを装着するための階段状装着部２５０が一体に形成されている。
【００４９】
図１０〜図１２に示すように、階段状装着部２５０は、機構装着部１６０の後面（一般面）よりも凹んだ状態で一体に形成されている。
さらに、階段状装着部２５０は、遊技盤４０の後側に位置するとともに、前後方向にずれて所定高さを隔てる複数の棚部、この実施例では上段、下段の棚部２５１、２５５と、これら上段、下段の棚部２５１、２５５の奥側（前側）にそれぞれ略垂直状（若干傾斜状をなす状態も含む）をなして立ち上がる上段、下段の垂直装着部２５２、２５６とをそれぞれ備えて階段状に形成されている。
そして、階段状装着部２５０の上段の垂直装着部２５６に分電基板２７０を、下段の垂直装着部２５２に外部端子基板２６０を装着する際、作業者に近い方を手前、遠い方を奥とした場合、手前の下段の垂直装着部２５２は、同手前の下段の垂直装着部２５２に装着される外部端子基板２６０が奥の上段の垂直装着部２５６に向けてはみ出すことがない広さの装着面を有している。さらに、上段、下段の垂直装着部２５２、２５６の間の段差部、すなわち、上段の棚部２５５は、奥の上段の垂直装着部２５６に装着される分電基板２７０上の各種の部材（基板コネクタ、基板ケース２７５等）を含む同端子基板の実質的な高さ寸法よりも大きい段差寸法に設定されている。
【００５０】
図１０と図１１に示すように、上段の垂直装着部２５６は、遊技盤４０の後側に接近して設けられている。
また、下段の垂直装着部２５２は、上段の棚部２５５の奥行き寸法に相当する分だけ遊技盤４０の後側に離隔して設けられている。これによって、遊技盤４０の後側と下段の垂直装着部２５２との間には、前述した１空間部Ｓ１及び第２空間部Ｓ２にそれぞれ連通する第３空間部Ｓ３が形成されている。
【００５１】
前記した下段及び上段の垂直装着部２５２、２５６には、外部端子基板２６０と分電基板２７０とがそれぞれ適宜の取付手段（例えば、ビス、クリップ、弾性係止片等の取付手段）によって装着されている。
【００５２】
この実施例において、図９、図１１及び図１２に示すように、下段の垂直装着部２５２には、外部端子基板２６０が嵌込まれる嵌込み部２６４が形成され、その嵌込み部２６４の左右両側部のうち、一側（図９に向かって右側）には、外部端子基板２６０の実装面の一側部を押える押え片２６５が一体に形成されている。
また、嵌込み部２６４の他側には、外部端子基板２６０の実装面の他側部を弾性的に止着して嵌込み部２６４に外部端子基板２６０を保持する弾性係止片２６６が弾性変形可能に一体に形成されている。
すなわち、外部端子基板２６０は、その一側部が嵌込み部２６４と押え片２６５との間に差し込まれた状態で、弾性係止片２６６を弾性的に変形させながられ、嵌込み部２６４に押し込まれることで、外部端子基板２６０が嵌込み部２６４に装着されるようになっている。
【００５３】
外部端子基板２６０は、周知のように、大当たり信号、扉開放信号、賞球信号等の信号をホールコンピュータに伝達するためのものであり、その外部端子基板２６０の実装面上には、前記した各種の信号に対応する複数の外部端子２６１がそれぞれ配設されている。
また、外部端子基板２６０の実装面の主要部は、基板カバー２６２によって覆われている。
図１１と図１２に示すように、基板カバー２６２の上下部には、下段の垂直装着部２５２の上下に形成された係合凹部に弾性的に係合する係止爪２６３が形成されている。そして、下段の垂直装着部２５２の上下の係合凹部に基板カバー２６２の係止爪２６３を弾性的に係合させることで、基板カバー２６２が装着され、その基板カバー２６２によって外部端子基板２６０の実装面の主要部が覆われるようになっている。なお、基板カバー２６２は合成樹脂材によって形成されその表面には多数の放熱孔が貫設されている。
【００５４】
図９、図１１及び図１２に示すように、上段の垂直装着部２５６には、外部電源を受けてその電源を電源基板ボックス２４０の電源基板や球貸機（図示しない）等に供給する分電基板２７０が基板ケース２７５に収納された状態で装着されている。
この実施例において、基板ケース２７５は、合成樹脂材よりなり、蓋板部２７６と段差状の周壁部２７７とを有する一側開口の箱形状に形成されている。
また、図９と図１１に示すように、基板ケース２７５の周壁部２７７の内壁面には、その段差部２７８との間に分電基板２７０の厚さ寸法に相当する距離を隔てて係止爪２７９が形成されている。そして、基板ケース２７５にはその開口部から段差部２７８に向けて分電基板２７０が挿入され、その段差部２７８と係止爪２７９との間に狭持された状態で基板ケース２７５内に収納されている。
【００５５】
また、図９と図１２に示すように、基板ケース２７５の周壁部２７７の開口部の左右両側部には、上段の垂直装着部２５６の上下に形成された係合凹部に弾性的に係合する左右一対の弾性係止片２８０が形成されている。そして、分電基板２７０は、基板ケース２７５に収納された状態で、同基板ケース２７５の左右一対の弾性係止片２８０が上段の垂直装着部２５６の係合凹部に弾性的に係合されることによって、上段の垂直装着部２５６に装着されるようになっている。
【００５６】
また、図９と図１２に示すように、基板ケース２７５の蓋板部２７６には、分電基板２７０の実装面に配設された外部電源用接続端子２７１と分電用接続端子２７２とをそれぞれ露出するための貫通孔が形成されている。
また、この実施例において、図９と図１２に示すように、基板ケース２７５の蓋板部２７６には、分電基板２７０の実装面に配設されたヒューズ等の点検・交換等のための点検口が開口されている。そして、点検口には開閉蓋２８１がその一側の軸部２８２を支点として開閉可能に装着されている。
また、開閉蓋２８１の自由端側には点検口の他側縁に係脱可能に係合して開閉蓋２８１を閉じ状態に保持する係止爪２８３が形成されている。また、開閉蓋２８１には、指先が挿入可能な開閉操作用の操作部２８４が一体に形成されている。
【００５７】
［実施例の作用・効果について］
上述したように構成されるこの実施例に係る遊技機において、階段状装着部２５０の上段の垂直装着部２５６に分電基板２７０を、下段の垂直装着部２５２に外部端子基板２６０を装着する際、作業者に近い方を手前、遠い方を奥とした場合、手前の下段の垂直装着部２５２は、同手前の下段の垂直装着部２５２に装着される外部端子基板２６０が奥の上段の垂直装着部２５６に向けてはみ出すことがない広さの装着面を有している。さらに、上段、下段の垂直装着部２５２、２５６の間の段差部、すなわち、上段の棚部２５５は、奥の上段の垂直装着部２５６に装着される分電基板２７０上の各種の部材（基板コネクタ、基板ケース２７５等）を含む同端子基板の実質的な高さ寸法よりも大きい段差寸法に設定されている。
したがって、上段の垂直装着部２５６に分電基板２７０を、下段の垂直装着部２５２に外部端子基板２６０がそれぞれ個別に装着された状態において、分電基板２７０及び外部端子基板２６０が階段部としての上段の棚部２５５に相当する分だけ離隔する。
また、下段の垂直装着部２５２に装着された外部端子基板２６０が上段の垂直装着部２５６に向けてはみ出すことがない。さらに、上段の垂直装着部２５６に装着される分電基板２７０上の各種の部材、例えば、基板コネクタ、基板ケース２７５等が、下段の垂直装着部２５２の高さを越えて後方（手前側）に突出することがない。
このため、下段の垂直装着部２５２（又は上段の垂直装着部２５６）に対し外部端子基板２６０（又は分電基板２７０）を装着した後、上段の垂直装着部２５６（又は下段の垂直装着部２５２）に対し外部端子基板２６０（又は分電基板２７０）を装着するときに、分電基板２７０（又は外部端子基板２６０）が装着作業の妨害物（障害物）となる不具合を防止することができる。
また、下段及び上段の垂直装着部２５２、２５６に対する外部端子基板２６０及び分電基板２７０の装着作業を容易に目視しながら行うことができる。
この結果、階段状装着部２５０の限られた領域内において外部端子基板２６０と、分電基板２７０との複数の端子基板を容易に装着することができる。
【００５８】
また、下段及び上段の垂直装着部２５２、２５６に対して外部端子基板２６０と、分電基板２７０とをそれぞれ装着することで、外部端子基板２６０や分電基板２７０上に異物（例えばパチンコ球）が落下する不具合も防止することができる。言い換えると、異物の落下による外部端子基板２６０や分電基板２７０の損傷を防止することができる。
【００５９】
特に、階段状装着部２５０の上段と下段の垂直装着部２５２、２５６に外部端子基板２６０と、分電基板２７０とがそれぞれ装着された状態において、外部端子基板２６０と分電基板２７０とは、少なくとも上段及び下段の垂直装着部２５２、２５６の間の第２棚部２５５に相当する分だけ離隔することになる。
このため、外部端子基板２６０（又は分電基板２７０）の外部端子２６１（又は分電用接続端子２７２）に対し接続線の端末部（端末コネクタ）を接続する際、分電基板２７０（又は外部端子基板２６０）上に配設された分電用接続端子２７２や基板ケース２７５等が接続作業の妨害物となることを防止することができる。また、下段及び上段の垂直装着部２５２、２５６に装着された外部端子基板２６０及び分電基板２７０に対する接続線の接続作業を容易に目視しながら行うことができる。
この結果、下段及び上段の外部端子基板２６０、分電基板２７０の接続端子（コネクタ）に対する接続線の端末部の接続作業を確実かつ迅速に行うことができる。
例えば、略面一の基板装着部に複数の端子基板が接近して配設された場合、これら端子基板上の接続端子や部品が接続作業の妨害物となる状態まで近ずくことがある。この場合には、端子基板上の接続端子に対する接続線の端末部の接続作業が困難となったり煩わしい作業となり、多くの手間や時間が必要となるが、この実施例ではこのような問題点が解消される。
【００６０】
また、この実施例において、階段状装着部２５０は、遊技盤４０の後側に設けられかつ球タンク１６５、タンクレール１７５等が装着される本体枠３０の機構装着部１６０の上隅部近傍に一体状に形成されている。
このため、機構装着部１６０の中央部寄り部分や下側部分に対し階段状装着部２５０が形成される場合に比べ、妨害物（障害物）となるものが少ないため、外部端子基板２６０や分電基板２７０の装着作業や接続線の接続作業がし易くなる。
【００６１】
また、この実施例において、上段の垂直装着部２５２は、遊技盤４０の後側に接近して設けられ、下段の垂直装着部２５６は、上段の第１棚部２５１に相当する分だけ遊技盤４０の後側に離隔して設けられている。そして、遊技盤４０の後側と下段の垂直装着部２５６との間には、第１及び第２空間部Ｓ１、Ｓ２とそれそれ連通する第３空間部Ｓ３が形成されている。
このため、遊技盤４０に装着される装備品、例えば役物装置４６の役物本体４７の後側部分４７ａを第３空間部Ｓ３内に突出させることが可能となる。ひいては、遊技盤４０に対し大型の役物装置（大型の液晶パネルを備えた役物装置）４６を配設したり、あるいは遊技盤４０の上部寄り部分に、他の入賞装置、ゲート口等の役物装置（装備品）を配設にすることが可能となる。これによって、遊技盤４０に対する各種の装備品の設計、配設の自由度を増大することができ、遊技性の向上や斬新化等を図ることができる。
【００６２】
また、階段状装着部２５０は、遊技機（パチンコ機）の本体枠３０後側の機構装着部１６０の後面（一般面）よりも凹んだ状態で形成されている。このため、遊技機を運搬・保管する際に、階段状装着部２５０やその階段状装着部２５０に装着された外部端子基板２６０及び分電基板２７０が運搬・保管の邪魔物となる不具合が生じない。
【００６３】
［他の実施例について］
なお、この発明は前記実施例に限定するものではない。
例えば、階段状装着部２５０に対し端子基板（外部端子基板２６０、分電基板２７０）を装着する際、作業者に近い方を手前、遠い方を奥とした場合、階段状装着部２５０の下段の垂直装着部２５２は、上段の垂直装着部２５６よりも第２棚部２５５に相当する分だけ手前（遊技盤から遠ざかる側）に変位した場合を例示したが、これとは逆に、下段の垂直装着部が上段の垂直装着部よりも奥（遊技盤に接近する側）に変位している場合においてもこの発明を実施することができる。
また、前記実施例においては、外枠１０の前面に開閉可能に装着された本体枠３０が、従来の前枠（内枠、前面枠等と呼ばれることがある）と、機構板（裏機構板、裏セット板等と呼ばれることがある）との機能を兼ね備えている場合を例示したがこれに限定するものではない。
すなわち、外枠１０の前面に遊技盤４０が装着される遊技盤装着枠を有する前枠を開閉可能に装着し、その前枠の後側に球タンク、タンクレール、球払出装置等の機構部が装着される機構板を配設した形式の遊技機であってもこの発明を採用することができる。
また、パチンコ機以外の遊技機、例えば、スロットマシンの外筺体の内壁面の所定位置に端子基板装着部が設けられる場合であってもこの発明を採用することができる。
【図面の簡単な説明】
【００６４】
【図１】この発明の実施例に係る遊技機の外枠の一側に本体枠が開かれその本体枠の一側にガラス扉が開かれた状態を示す斜視図である。
【図２】同じく遊技機の前側全体を示す正面図である。
【図３】同じく遊技機の後側全体を示す背面図である。
【図４】同じく遊技機の本体枠と遊技盤とを分離して斜め右上前方から示す斜視図である。
【図５】同じく遊技機の本体枠を斜め左上前方から示す斜視図である。
【図６】同じく遊技機の後側上部を拡大して示す部分背面図である。
【図７】同じく図６のＶＩＩ−ＶＩＩ線に基づく側断面図である。
【図８】同じく図６のＶＩＩＩ−ＶＩＩＩ線に基づく側断面図である。
【図９】同じく本体枠の機構装着部の上隅部に形成された階段状装着部に端子基板が装着された状態を拡大して示す平断面図である。
【図１０】同じく図６のＸ−Ｘ線に基づく側断面図である。
【図１１】同じく階段状装着部に端子基板が装着された状態を拡大して示す縦断面図である。
【図１２】同じく端子基板装着部としての階段状装着部の上段及び下段の各垂直装着部に端子基板がそれぞれ装着された状態を示す斜視図である。
【図１３】同じく遊技盤後側の後カバー体に主制御基板ボックスと副制御基板ボックスとが前後に重ね合わされて装着された状態を示す説明図である。
【図１４】同じく後カバー体に対し主制御基板ボックスが第２封印手段としての結束ベルトによって封印された状態を示す斜視図である。
【図１５】同じく球タンクを拡大して示す平面図である。
【図１６】同じく球タンクを拡大して示す斜視図である。
【図１７】同じくタンクレール、タンクレールの天井部及び整流体の関係を示す説明図である。
【符号の説明】
【００６５】
１０  外枠
３０  本体枠
３３  遊技盤装着枠
４０  遊技盤
１６０  機構装着部
１６５  球タンク
１７５  タンクレール
２５０  階段状装着部（端子基板装着部）
２５１  下段の棚部
２５２  下段の垂直装着部
２５５  上段の棚部
２５６  上段の垂直装着部
２６０  外部端子基板（端子基板）
２７０  分電基板（端子基板）
【図１】
2005193002.tif 000003
【図２】
2005193002.tif 000004
【図３】
2005193002.tif 000005
【図４】
2005193002.tif 000006
【図５】
2005193002.tif 000007
【図６】
2005193002.tif 000008
【図７】
2005193002.tif 000009
【図８】
2005193002.tif 000010
【図９】
2005193002.tif 000011
【図１０】
2005193002.tif 000012
【図１１】
2005193002.tif 000013
【図１２】
2005193002.tif 000014
【図１３】
2005193002.tif 000015
【図１４】
2005193002.tif 000016
【図１５】
2005193002.tif 000017
【図１６】
2005193002.tif 000018
【図１７】
2005193002.tif 000019